(57)【要約】【課題】周辺の電波環境が悪い状況下においても消費電力を抑えつつ良好な通信品質を維持することが可能な無線通信システムを提供すること。【解決手段】干渉情報を参照して、主通信装置における干渉のレベルが基準値より低く、かつ、複数の副通信装置のいずれかにおける干渉のレベルが基準値より高い無線チャンネルの中から、干渉のレベルが基準値より高いとされる副通信装置の数が少ない順に、無線チャンネルを選択する。そうして選択された無線チャンネルを使用する際の通信モードを、主通信装置から副通信装置への通信についてはマルチスロットモードに、副通信装置から主通信装置への通信についてはシングルスロットモードに、それぞれ設定する。【選択図】図８
2010239262.tif 000002
【特許請求の範囲】
【請求項１】
主通信装置と複数の副通信装置とを備え、前記主通信装置と前記副通信装置との間で無線通信を行う無線通信システムにおいて、
ある周波数帯域内を所定の周波数帯域毎に区切り、その区切られた周波数帯域に対応して設けられた無線チャンネルの複数の中から１つを使用するとともに、その使用する無線チャンネルを所定の周期で切り替える無線通信方式によって前記主通信装置と前記副通信装置との間で無線通信を行う無線通信手段と、
前記主通信装置及び前記複数の副通信装置において前記無線チャンネルが外来電波から受ける干渉のレベルを示す干渉情報を取得する干渉情報取得手段と、
前記干渉情報取得手段により取得された前記干渉情報を参照して、前記主通信装置における干渉のレベルが基準値より低く、かつ、前記複数の副通信装置のいずれかにおける干渉のレベルが基準値より高い無線チャンネルの中から、干渉のレベルが基準値より高いとされる副通信装置の数が少ない順に、前記無線チャンネルを選択するチャンネル選択手段と、
前記無線通信手段が前記チャンネル選択手段により選択された無線チャンネルを使用する際の通信モードを、前記主通信装置から前記副通信装置への通信についてはマルチスロットモードに、前記副通信装置から前記主通信装置への通信についてはシングルスロットモードに、それぞれ設定する通信モード設定手段と、
を備えることを特徴とする無線通信システム。
【請求項２】
前記チャンネル選択手段は、前記干渉情報を参照して、前記主通信装置及び前記複数の副通信装置における干渉のレベルが全て基準値より低い無線チャンネルの数が所定数以下である場合に、前記無線チャンネルの選択を行う
ことを特徴とする請求項１に記載の無線通信システム。
【請求項３】
前記副通信装置は電池駆動であり、前記副通信装置における電池残量を取得する電池残量取得手段を備え、
前記チャンネル選択手段は、干渉のレベルが基準値より高いとされる副通信装置の数が等しい無線チャンネルがある場合は、前記電池残量取得手段により取得された前記電池残量を参照して、電池残量の少ない副通信装置における干渉のレベルが基準値より低い無線チャンネルから優先して選択する
ことを特徴とする請求項１または２に記載の無線通信システム。
【請求項４】
前記主通信装置は、デジタルコードレス電話の親機であり、
前記副通信装置は、前記デジタルコードレス電話の子機である
ことを特徴とする請求項１乃至３のいずれかに記載の無線通信システム。
【発明の詳細な説明】
【技術分野】
【０００１】
本発明は、無線通信システムに関する。
【背景技術】
【０００２】
従来、無線通信によりデータ通信や通話を行う無線通信システムがある。このような無線通信システムでは、異なった通信方式で、同一の周波数帯域を使用する場合がある。
【０００３】
例えば、データ通信を目的とした無線ＬＡＮ（Wireless Local Area Network、以下、ＷＬＡＮと表記する。）と通話を目的としたデジタルコードレス電話（Digital Cordless telephone、以下、ＤＣＬと表記する。）とは、いずれも２．４ＧＨｚ帯という同一の周波数帯域を使用する。
【０００４】
ここで、図１１を参照して、ＷＬＡＮ及びＤＣＬによって使用される周波数帯域及び周波数チャンネルについて説明する。図１１は、ＷＬＡＮ及びＤＣＬで使用される周波数帯域及び周波数チャンネルを示した概略図である。
【０００５】
図１１に示されるように、ＷＬＡＮ、ＤＣＬの各通信方式は、いずれも２．４ＧＨｚから２．５ＧＨｚまでの周波数帯域（２．４ＧＨｚ帯）を使用する。そして、各通信方式において、２．４ＧＨｚ帯を複数に分割したチャンネルが設定されている。以下では、各通信方式におけるチャンネルを区別するために、ＷＬＡＮで使用されるチャンネルをＷＬＡＮチャンネル、ＤＣＬで使用されるチャンネルをＤＣＬチャンネルとする。
【０００６】
ＷＬＡＮでは、２．４ＧＨｚ帯が１４のＷＬＡＮチャンネルｗｃｈ１〜ｗｃｈ１４に分けられている。ＷＬＡＮは、１４のＷＬＡＮチャンネルのうち１つのＷＬＡＮチャンネルを継続して使用しながら、その１つのＷＬＡＮチャンネルに対して送信データを直接スペクトラム拡散する直接拡散方式により、無線通信を行う。
【０００７】
一方、ＤＣＬでは、２．４ＧＨｚ帯が８９のＤＣＬチャンネルｄｃｈ１〜ｄｃｈ８９に分けられている。ＤＣＬは、ホッピング周期と呼ばれる所定の周期（例えば、１／１００秒）毎に、８９あるＤＣＬチャンネルのうち予め選択された例えば４５のＤＣＬチャンネルの間で、使用するＤＣＬチャンネルを変更（ホッピング）する周波数ホッピング方式により、無線通信を行う。
【０００８】
上記のような複数の通信方式が混在する環境では、同一の周波数帯域が各通信方式によって使用されるので、各通信方式の間で電波干渉が発生するおそれがある。これに対し、下記の特許文献１には、同一の音声データを複数回繰り返して送受信することで、良好な通話品質を維持する携帯無線電話機が記載されている。
【先行技術文献】
【特許文献】
【０００９】
【特許文献１】特開平６−２２４８３７号公報
【発明の概要】
【発明が解決しようとする課題】
【００１０】
しかしながら、特許文献１に記載の携帯無線電話機では、複数回繰り返して送受信することで通話品質を維持する反面、消費電力が増大する。そのため、例えば携帯無線電話機が電池駆動の場合、連続して通話可能な時間が短くなってしまい問題である。
【００１１】
本発明は上記の課題に鑑み提案されたものである。本発明は、周辺の電波環境が悪い状況下においても消費電力を抑えつつ良好な通信品質を維持することが可能な無線通信システムを提供することを目的とする。
【課題を解決するための手段】
【００１２】
本発明の請求項１に係る無線通信システムは、主通信装置と複数の副通信装置とを備え、前記主通信装置と前記副通信装置との間で無線通信を行う無線通信システムにおいて、ある周波数帯域内を所定の周波数帯域毎に区切り、その区切られた周波数帯域に対応して設けられた無線チャンネルの複数の中から１つを使用するとともに、その使用する無線チャンネルを所定の周期で切り替える無線通信方式によって前記主通信装置と前記副通信装置との間で無線通信を行う無線通信手段と、前記主通信装置及び前記複数の副通信装置において前記無線チャンネルが外来電波から受ける干渉のレベルを示す干渉情報を取得する干渉情報取得手段と、前記干渉情報取得手段により取得された前記干渉情報を参照して、前記主通信装置における干渉のレベルが基準値より低く、かつ、前記複数の副通信装置のいずれかにおける干渉のレベルが基準値より高い無線チャンネルの中から、干渉のレベルが基準値より高いとされる副通信装置の数が少ない順に、前記無線チャンネルを選択するチャンネル選択手段と、前記無線通信手段が前記チャンネル選択手段により選択された無線チャンネルを使用する際の通信モードを、前記主通信装置から前記副通信装置への通信についてはマルチスロットモードに、前記副通信装置から前記主通信装置への通信についてはシングルスロットモードに、それぞれ設定する通信モード設定手段と、を備えることを特徴とする。
【００１３】
本発明の請求項２に係る無線通信システムは、請求項１の無線通信システムにおいて、前記チャンネル選択手段は、前記干渉情報を参照して、前記主通信装置及び前記複数の副通信装置における干渉のレベルが全て基準値より低い無線チャンネルの数が所定数以下である場合に、前記無線チャンネルの選択を行うことを特徴とする。
【００１４】
本発明の請求項３に係る無線通信システムは、請求項１または２の無線通信システムにおいて、前記副通信装置は電池駆動であり、前記副通信装置における電池残量を取得する電池残量取得手段を備え、前記チャンネル選択手段は、干渉のレベルが基準値より高いとされる副通信装置の数が等しい無線チャンネルがある場合は、前記電池残量取得手段により取得された前記電池残量を参照して、電池残量の少ない副通信装置における干渉のレベルが基準値より低い無線チャンネルから優先して選択することを特徴とする。
【００１５】
本発明の請求項４に係る無線通信システムは、請求項１乃至３のいずれかの無線通信システムにおいて、前記主通信装置は、デジタルコードレス電話の親機であり、前記副通信装置は、前記デジタルコードレス電話の子機であることを特徴とする。
【発明の効果】
【００１６】
本発明の請求項１に係る無線通信システムによれば、干渉情報に基づいて副通信装置から主通信装置への通信モードを可能な限りシングルスロットモードに設定するため、副通信装置における消費電力を抑えながら通信品質を保つことができる。
【００１７】
本発明の請求項２に係る無線通信システムによれば、主通信装置と副通信装置との間の両通信方向においてシングルスロットモードで使用可能な無線チャンネルを前もって確保することができるため、省電力性と通信品質に優れた無線通信を行うことができる。
【００１８】
本発明の請求項３に係る無線通信システムによれば、電池駆動の副通信装置が連続して通話可能な時間を長くすることができる。
【００１９】
本発明の請求項４に係る無線通信システムによれば、デジタルコードレス電話の親機と子機とを備える無線通信システムにおいて、子機の消費電力を抑えながら通話品質を保つことができる。
【００２０】
本発明に係る無線通信システムによれば、周辺の電波環境が悪い状況下においても消費電力を抑えつつ良好な通信品質を維持することができる。
【図面の簡単な説明】
【００２１】
【図１】無線通信システムの外観図である。
【図２】無線通信システムの構成を示すブロック図である。
【図３】無線通信システムを採用したネットワークを示す概略図である。
【図４】親機が干渉情報を取得する処理のフローチャートである。
【図５】子機が子機情報を親機に送信する処理のフローチャートである。
【図６】親機が子機から送信される子機情報を取得する処理のフローチャートである。
【図７】ＤＣＬ情報テーブルの一例を示す図である。
【図８】親機がホッピングテーブルを生成する処理のフローチャートである。
【図９】子機が親機から送信されるホッピングテーブルの情報を設定する処理のフローチャートである。
【図１０】ホッピングテーブルの一例を示す図である。
【図１１】ＷＬＡＮ及びＤＣＬで使用される周波数帯域及び周波数チャンネルを示した概略図である。
【発明を実施するための形態】
【００２２】
図面を参照して実施例を説明する。図１は、本発明の無線通信システムの一例として、親機１０と子機６１とを備える無線通信システム１を示す外観図である。親機１０は、ＤＣＬ機能の他、ＷＬＡＮ機能、プリンタ機能、ＦＡＸ機能、などを有する。図１に示されるように、親機１０の側面には、送受話器２３が設けられる。また、親機１０の上面前方には、操作キー１５及びタッチパネル機能付きＬＣＤ１６が設けられる。ユーザは、操作キー１５、ＬＣＤ１６を介して、電話番号などを親機１０に入力することができる。また、親機１０は不図示の電源コードから電源を供給され、子機６１は充電式の電池駆動である。
【００２３】
図２は、無線通信システム１の構成を示すブロック図である。親機１０は、ＣＰＵ１１、ＲＯＭ１２、ＲＡＭ１３、ＥＥＰＲＯＭ１４、ＷＬＡＮ通信制御回路１７、ＤＣＬ通信制御回路１９、送受話器２３、音声処理ＬＳＩ２４、ＮＣＵ（Network Control Unit、以下、ＮＣＵと表記する。）２５、を主に有する。ＣＰＵ１１、ＲＯＭ１２、ＲＡＭ１３、及びＥＥＰＲＯＭ１４は、バスライン２６を介して互いに接続される。送受話器２３とＮＣＵ２５とは、音声処理ＬＳＩ２４に接続される。また、操作キー１５、ＬＣＤ１６、ＷＬＡＮ通信制御回路１７、ＤＣＬ通信制御回路１９、音声処理ＬＳＩ２４、ＮＣＵ２５、及びバスライン２６は、入出力ポート２７を介して互いに接続される。
【００２４】
ＣＰＵ１１は、ＲＯＭ１２、ＲＡＭ１３、ＥＥＰＲＯＭ１４に記憶されるプログラム、パラメータ、あるいは、ＷＬＡＮ通信制御回路１７、ＤＣＬ通信制御回路１９、ＮＣＵ２５を介して送受信される各種信号に従って、様々な処理を実行する。ＲＯＭ１２は、親機１０を制御するためのプログラム、プログラムに従って参照される各種データ、などを記憶する。ＲＡＭ１３は、プログラムに従って処理が実行される過程で生成される各種データを記憶する。
【００２５】
ＷＬＡＮアンテナ１８を有するＷＬＡＮ通信制御回路１７は、ＷＬＡＮアンテナ５２を有するアクセスポイント（Access Point、以下、ＡＰと表記する。）５１との間で、直接拡散方式による無線通信であるＷＬＡＮ通信２００を行う。ＡＰ５１はＬＡＮ５００と接続されており、親機１０はＬＡＮ５００に接続される他の機器（例えば、ＰＣ）とＡＰ５１を介してデータ通信を行う。
【００２６】
ＤＣＬアンテナ２０を有するＤＣＬ通信制御回路１９は、子機６１のＤＣＬアンテナ６３を有するＤＣＬ通信制御回路６２との間で、周波数ホッピング方式による無線通信であるＤＣＬ通信３００を行う。音声処理ＬＳＩ２４は、送受話器２３、ＮＣＵ２５のアナログ音声信号とＤＣＬ通信制御回路１９のデジタル信号とを相互に変換する。また、ＮＣＵ２５は、電話回線網１００と接続されており、電話回線網１００へのダイヤル信号の送出、電話回線網１００からの呼出信号の応答などを行う。
【００２７】
図３は、上記のように構成された無線通信システム１を採用したネットワークの一例を示す概略図である。親機１０は、ＡＰ５１とＷＬＡＮ通信２００を行い、ＬＡＮ５００に接続する。４つの子機６１（６１Ａ、６１Ｂ、６１Ｃ、６１Ｄ）は、それぞれ親機１０とのＤＣＬ通信３００により、親機１０、他の子機６１、及び、電話回線網１００に接続される他の電話機と通話を行う。また、親機１０及び子機６１の周辺には、他のネットワークを構成するＡＰ７０、ＰＣ７１が存在する。
【００２８】
既に説明したように、ＤＣＬでは、２．４ＧＨｚ帯が８９のＤＣＬチャンネルｄｃｈ１〜ｄｃｈ８９に分けられている（図１１参照）。図３のネットワークにおいて、親機１０と子機６１とは、８９あるＤＣＬチャンネルのうち４５のＤＣＬチャンネルの間で、使用するＤＣＬチャンネルをホッピングしながら、ＤＣＬ通信３００を行う。その際、親機１０及び子機６１は、出来るだけ電波状況のよいＤＣＬチャンネルを選択して使用する。しかし、図３のように親機１０がＤＣＬ通信３００と並行してＷＬＡＮ通信２００を行ったり、周辺に他のネットワークが存在したりして、ＤＣＬチャンネルと同一の周波数帯域に設定されるＷＬＡＮチャンネルが複数使用されると、良好なＤＣＬチャンネルを確保することが困難になり、通話品質が低下する。本実施例の親機１０と子機６１とは、子機６１の消費電力を抑えながら通話品質を維持する。以下、図４乃至図１０を参照して、親機１０と子機６１とにおいて実行される処理を説明する。
【００２９】
図４は、親機１０の周辺でＤＣＬチャンネルが外来電波から受ける干渉のレベルを示す干渉情報を取得するため親機１０において実行される処理のフローチャートである。Ｓ１１において、親機１０は、８９あるＤＣＬチャンネルの１つであるＤＣＬチャンネルｘの干渉情報を取得する。親機１０は、例えば、ＤＣＬチャンネルｘに対応する帯域で受信される外来電波の強度をＤＣＬ通信制御回路１９によって測定し、干渉のレベルを判断する。親機１０は、ＤＣＬチャンネルｘについて測定した電波強度が基準値より高ければ干渉あり、低ければ干渉なしと判断して、その結果を干渉情報として取得する。
【００３０】
Ｓ１２において、親機１０は、ＤＣＬ情報テーブルを更新する。ここで、図７を参照して、ＤＣＬ情報テーブルについて説明する。図７は、親機１０のＲＡＭ１３に記憶されるＤＣＬ情報テーブルの一例を示す図である。図７に示されるように、ＤＣＬ情報テーブルには、各通信装置における全てのＤＣＬチャンネルｄｃｈ１〜ｄｃｈ８９の干渉情報が含まれる。親機１０は、Ｓ１１で取得した干渉情報をＤＣＬ情報テーブルの対応箇所に格納し、ＤＣＬ情報テーブルを更新する。
【００３１】
Ｓ１３において、親機１０は、ＤＣＬチャンネルｘを次のＤＣＬチャンネルにシフトして、Ｓ１１に戻る。これにより、親機１０は、全てのＤＣＬチャンネルｄｃｈ１〜ｄｃｈ８９の干渉情報を順次取得して、ＤＣＬ情報テーブルを更新する。
【００３２】
図５は、子機６１における電池残量及びＤＣＬチャンネルの干渉情報を、子機情報として親機１０に送信するため子機６１において実行される処理のフローチャートである。Ｓ２１において、子機６１は、電池残量を取得する。既に述べたように、子機６１は充電式の電池駆動であるため、充電状態に応じて電池残量が変化する。子機６１は、例えば、電池の電圧に基づいて現在の電池残量を１から５の５段階に分け、その結果を取得する。なお、本実施例では、１から５の５段階のうち数字が大きいほど電池残量が多いものとする。
【００３３】
Ｓ２２において、子機６１は、８９あるＤＣＬチャンネルの１つであるＤＣＬチャンネルｘの干渉情報を取得する。干渉情報の取得は、親機１０と同様に、ＤＣＬチャンネルｘに対応する帯域で受信される外来電波の強度を子機６１のＤＣＬ通信制御回路６２によって測定し、基準値と比較することで行われる。
【００３４】
Ｓ２３において、子機６１は、Ｓ２１で取得した電池残量及びＳ２２で取得した干渉情報を、子機情報として親機１０に送信する。Ｓ２４において、子機６１は、ＤＣＬチャンネルｘを次のＤＣＬチャンネルにシフトして、Ｓ２１に戻る。これにより、子機６１は、全てのＤＣＬチャンネルｄｃｈ１〜ｄｃｈ８９の干渉情報を順次取得して、現在の電池残量とともに親機１０に送信する。
【００３５】
図６は、子機６１から送信される子機情報を取得するため親機１０において実行される処理のフローチャートである。Ｓ３１において、親機１０は、子機６１の登録台数を取得する。子機６１の登録台数は、例えば、ＥＥＰＲＯＭ１４に記憶されており、親機１０はＥＥＰＲＯＭ１４から子機の登録台数を読み出すことで、子機６１の登録台数を取得する。
【００３６】
Ｓ３２において、親機１０は、複数の子機６１のうちｎ台目の子機ｎから子機情報を受信したか否かを判断する。子機ｎから子機情報を受信していない場合（Ｓ３２：ＮＯ）、親機１０はＳ３２に戻る。すなわち、子機ｎから子機情報を受信するまで、親機１０はＳ３２で待機する。
【００３７】
一方、子機ｎから子機情報を受信した場合（Ｓ３２：ＹＥＳ）、親機１０は、Ｓ３３において、ＤＣＬ情報テーブルを更新する。図７に示されるように、ＤＣＬ情報テーブルには、干渉情報の他に、各子機６１における電池残量が含まれる。親機１０は、Ｓ３２で受信した子機情報に含まれる電池残量及び干渉情報をＤＣＬ情報テーブルの対応箇所に格納し、ＤＣＬ情報テーブルを更新する。
【００３８】
Ｓ３４において、親機１０は、子機６１の台数カウンタのカウント値であるｎが、Ｓ３１で取得した子機６１の登録台数に等しいか否かを判断する。ｎが子機６１の登録台数に等しくない場合（Ｓ３４：ＮＯ）、親機１０は、Ｓ３５においてｎに１を加算して子機ｎを次の子機６１にシフトして、Ｓ３２に戻る。一方、ｎが子機６１の登録台数に等しい場合（Ｓ３４：ＹＥＳ）、親機１０は処理を終了する。これにより、親機１０は、全ての子機６１の子機情報を順次取得して、ＤＣＬ情報テーブルを更新する。
【００３９】
これまで説明した図４乃至図６の処理は、常時あるいは定期的に行われる。これにより、周辺の電波環境の変化、子機６１の電池残量の変化、子機６１の登録台数の変更、に対応することができる。
【００４０】
図８は、親機１０と子機６１とのＤＣＬ通信３００においてホッピングする４５のＤＣＬチャンネルと通信モードとを規定するホッピングテーブル（以下、ＨＰテーブルと表記する。）を生成するため親機１０において実行される処理のフローチャートである。Ｓ４１において、親機１０は、ＲＡＭ１３に記憶されるＤＣＬ情報テーブル（図７参照）を参照する。Ｓ４２において、親機１０は、ＤＣＬ情報テーブルに含まれる干渉情報に基づいて、親機１０及び全ての子機６１（６１Ａ、６１Ｂ、６１Ｃ、６１Ｄ）において干渉なしのＤＣＬチャンネルを選択する。例えば、図７のＤＣＬ情報テーブルでは、ＤＣＬチャンネルｄｃｈ７５は親機１０及び全ての子機６１において干渉なしであるため、親機１０はＤＣＬチャンネルｄｃｈ７５を選択する。
【００４１】
Ｓ４３において、親機１０は、Ｓ４２で選択することができたＤＣＬチャンネルの数が４５以上であるか否か、すなわち、ＤＣＬ通信３００のホッピングに必要な数のＤＣＬチャンネルを確保することができたか否かを判断する。選択することができたＤＣＬチャンネルの数が４５以上でない場合（Ｓ４３：ＮＯ）、親機１０は、Ｓ４４において、チャンネル選択処理を行う。一方、選択することができたＤＣＬチャンネルの数が４５以上である場合（Ｓ４３：ＹＥＳ）、親機１０は、Ｓ４４のチャンネル選択処理を行わずに、Ｓ４５へ進む。
【００４２】
Ｓ４４のチャンネル選択処理について詳細に説明する。親機１０は、ＤＣＬ情報テーブルに含まれる干渉情報に基づいて、親機１０において干渉なし、かつ、複数の子機６１（６１Ａ、６１Ｂ、６１Ｃ、６１Ｄ）のいずれかにおいて干渉ありのＤＣＬチャンネルの中から、干渉ありとされる子機６１の数が少ない順に、ＤＣＬチャンネルを選択する。その際、干渉ありとされる子機６１の数が等しいＤＣＬチャンネルがある場合は、親機１０は、電池残量の少ない子機６１において干渉なしのＤＣＬチャンネルから優先して選択する。例えば、図７のＤＣＬ情報テーブルでは、ＤＣＬチャンネルｄｃｈ２、ｄｃｈ３、ｄｃｈ４、ｄｃｈ７８は、親機１０において干渉なし、かつ、複数の子機６１のいずれかにおいて干渉ありである。そして、干渉ありとされる子機６１の数は、ＤＣＬチャンネルｄｃｈ２、ｄｃｈ３、ｄｃｈ４については１、ＤＣＬチャンネルｄｃｈ７８については２である。ＤＣＬチャンネルｄｃｈ２、ｄｃｈ３、ｄｃｈ４は、干渉ありとされる子機６１の数が１で等しい。そこで、親機１０は、電池残量が１番少ない子機６１Ｄ（電池残量＝１）において干渉なしのＤＣＬチャンネルｄｃｈ３、ｄｃｈ４を、ＤＣＬチャンネルｄｃｈ２よりも優先して選択する。さらに、親機１０は、ＤＣＬチャンネルｄｃｈ３、ｄｃｈ４について、電池残量が２番目に少ない子機６１Ｄ（電池残量＝２）において干渉なしのＤＣＬチャンネルｄｃｈ３を、ＤＣＬチャンネルｄｃｈ４よりも優先して選択する。したがって、この場合、親機１０はＤＣＬチャンネルｄｃｈ３、ｄｃｈ４、ｄｃｈ２、ｄｃｈ７８の順にＤＣＬチャンネルを選択する。親機１０は、Ｓ４２で選択することができたＤＣＬチャンネルの数との合計がＤＣＬ通信３００のホッピングに必要な数である４５となるまで、Ｓ４４のチャンネル選択処理を行う。
【００４３】
Ｓ４５において、親機１０は、通信モード設定処理を行う。Ｓ４５の通信モード設定処理について詳細に説明する。親機１０は、Ｓ４２で選択したＤＣＬチャンネルに対しては、親機１０から子機６１への通信と子機６１から親機１０への通信との両方をシングルスロットモードで行うように設定する。例えば、上述のように、Ｓ４２でＤＣＬチャンネルｄｃｈ７５を選択した場合、親機１０は、ＤＣＬチャンネルｄｃｈ７５に対して、親機１０から子機６１への通信と子機６１から親機１０への通信との両方をシングルスロットモードで行うように設定する。一方、親機１０は、Ｓ４４で選択したＤＣＬチャンネルに対しては、親機１０から子機６１への通信をマルチスロットモードで、子機６１から親機１０への通信をシングルスロットモードで行うように設定する。例えば、上述のように、Ｓ４４でＤＣＬチャンネルｄｃｈ３、ｄｃｈ４、ｄｃｈ２、ｄｃｈ７８を選択した場合、親機１０は、ＤＣＬチャンネルｄｃｈ３、ｄｃｈ４、ｄｃｈ２、ｄｃｈ７８に対して、親機１０から子機６１への通信をマルチスロットモードで、子機６１から親機１０への通信をシングルスロットモードで行うように設定する。そして、親機１０は、設定結果に基づいてＨＰテーブルを生成する。ここで、図１０を参照して、ＨＰテーブルについて説明する。図１０は、親機１０のＲＡＭ１３に記憶されるＨＰテーブルの一例を示す図である。図１０に示されるように、ＨＰテーブルには、Ｓ４２、Ｓ４４で選択したＤＣＬチャンネルに対して設定された、各通信方向の通信モードが含まれる。例えば、上述の場合であれば、親機１０は、図１０のようなＨＰテーブルを生成する。
【００４４】
Ｓ４６において、親機１０は、Ｓ４５で生成したＨＰテーブルの情報を全ての子機６１に送信し、処理を終了する。
【００４５】
図９は、親機１０から送信されるＨＰテーブルの情報を子機６１に設定するため子機６１において実行される処理のフローチャートである。Ｓ５１において、子機６１は、親機１０からＨＰテーブルの情報を受信したか否かを判断する。ＨＰテーブルの情報を受信していない場合（Ｓ５１：ＮＯ）、子機６１はＳ５１に戻る。すなわち、ＨＰテーブルの情報を受信するまで、子機６１はＳ５１で待機する。
【００４６】
一方、ＨＰテーブルの情報を受信した場合（Ｓ５１：ＹＥＳ）、子機６１は、Ｓ５２において、ＨＰテーブルを展開する。これにより、子機６１は、親機１０から送信されるＨＰテーブルの情報の設定に従ってＤＣＬ通信３００を行う。
【００４７】
続いて、これまで説明した図８、図９の処理によって得られる効果について説明する。
【００４８】
ＤＣＬ通信３００には、複数のスロットで構成される一のフレーム内の一のスロットを使用して通信を行うシングルスロットモードと、複数のスロットを使用して通信を行うマルチスロットモードとの２つの通信モードが存在する。マルチスロットモードは、外来電波との干渉が発生するＤＣＬチャンネルを使用する場合でも通話品質を維持することができる反面、シングルスロットモードに比べて消費電力が大きく、特に送信側の消費電力が増大する。
【００４９】
これに対し、本実施例の無線通信システム１は、親機１０において干渉なしのＤＣＬチャンネルを選択し（図８、Ｓ４４）、子機６１から親機１０への通信をシングルスロットモードで行うように設定する（図８、Ｓ４５）。ここで、ＤＣＬ通信３００が外来電波による干渉の影響を受けやすいのは受信側である。そのため、親機１０において干渉なしのＤＣＬチャンネルであれば、通話品質を低下することなく子機６１から親機１０への通信をシングルスロットモードで行うことができる。したがって、子機６１における消費電力を抑えながら通話品質を保つことができる。また、干渉ありとされる子機６１の数が少ない順にＤＣＬチャンネルを選択するため、外来電波から受ける干渉を抑えることができる。また、電池残量の少ない子機６１において干渉なしのＤＣＬチャンネルから優先して選択する。ここで、子機６１は、自装置において干渉なしのＤＣＬチャンネルであれば、親機１０からマルチスロットモードで送信されてきても、受信を１回のみにして消費電力を少なくすることができる。そのため、電池残量の少ない子機６１において干渉なしのＤＣＬチャンネルから優先して選択することにより、電池残量の少ない子機６１は、受信を１回のみにして消費電力を少なくすることができる。したがって、複数の子機６１がＤＣＬ通信３００を同時に行う３者通話等においても、電池駆動の子機６１が連続して通話可能な時間を長くすることができる。なお、図８の処理において、ＤＣＬ通信３００のホッピングに必要な４５のＤＣＬチャンネルを選択することができない場合は、例えば、干渉情報を取得する際の基準値を変更すればよい。
【００５０】
ここで、特許請求の範囲との対応は以下の通りである。
親機１０は主通信装置の一例、子機６１は副通信装置の一例である。また、２．４ＧＨｚ帯はある周波数帯域の一例、ＤＣＬチャンネルは無線チャンネルの一例、周波数ホッピング方式は無線通信方式の一例、ＤＣＬ通信制御回路１９、６２はそれぞれ無線通信手段の一例である。また、図４のＳ１１、図５のＳ２２によって干渉情報取得手段が、図８のＳ４４によってチャンネル選択手段が、図８のＳ４５によって通信モード設定手段が、図５のＳ２１によって電池残量取得手段が、それぞれ実現される。
【００５１】
以上、詳細に説明した通り、本発明の前記実施例の無線通信システム１によれば、親機１０及び子機６１周辺の電波環境が悪い状況下においても、電池駆動の子機６１の消費電力を抑えつつ良好な通話品質を維持することができる。
【００５２】
なお、本発明は前記実施例に限定されるものではなく、本発明の趣旨を逸脱しない範囲内での種々の改良、変更が可能であることは言うまでもない。
例えば、前記実施例における各フローチャートは単なる一例であり、当該各フローチャートの処理と同等の結果を得ることできるものであれば、他のフローチャートによって処理を実現してもよい。
【００５３】
また、干渉情報として、干渉あり、干渉なしの２値情報を用いたが、多値情報を用いてもよい。電波強度を測定する以外にも、ＢＥＲ（Bit Error Rate）などを測定してもよい。
【符号の説明】
【００５４】
１            無線通信システム
１０          親機
１９、６２    ＤＣＬ通信制御回路
６１          子機
【図１】
2010239262.tif 000003
【図２】
2010239262.tif 000004
【図３】
2010239262.tif 000005
【図４】
2010239262.tif 000006
【図５】
2010239262.tif 000007
【図６】
2010239262.tif 000008
【図７】
2010239262.tif 000009
【図８】
2010239262.tif 000010
【図９】
2010239262.tif 000011
【図１０】
2010239262.tif 000012
【図１１】
2010239262.tif 000013